(57)【要約】  本発明は、１本または複数本のケーブルを収納するためのケーブル保持具（１）に関する。このケーブル保持具（１）は、基体（１０）と、その基体（１０）から突き出る複数個の係止突起体（１１、１２）であって基体（１０）の互いに反対側の領域（１１１、１２１）から突き出る係止突起体（１１、１２）とを含み、その係止突起体（１１、１２）と、場合によっては基体（１０）とが、ケーブル（２）を導線するための管路領域（１３）を閉囲し、画定し、および／または決定する。  本発明によれば、係止突起体（１１、１２）が、一方の領域（１１１、１２１）から突き出る少なくとも１つの係止突起体（１１、１２）の端部（１１０、１２０）が、それぞれ反対側の領域（１１１、１２１）から突き出る２つの係止突起体の間に配置され、および／または、その間に突き出るように、好ましくは接触することなくおよび／または櫛状に係合することが想定される。【選択図】図９
2014517670.tif 000002
【特許請求の範囲】
【請求項１】
１本または複数本のケーブル（２）を収納するための複数個のケーブル保持具（１）を含むケーブル保持装置であり、前記ケーブル保持具（１）は、基体（１０９と、前記基体（１０）から突き出る複数個の係止突起体（１１、１２）であって前記基体（１０）の互いに反対側の領域（１１１、１２１）から突き出る係止突起体（１１、１２）とを含むケーブル保持装置であって、前記係止突起体（１１、１２）と、場合によっては前記基体（１０）とが、前記ケーブル（２）を導線するための管路領域（１３）を閉囲し、画定し、および／または決定し、前記係止突起体（１１、１２）が、一方の領域（１１１、１２１）から突き出る少なくとも１つの前記係止突起体（１１、１２）の端部（１１０、１２０）が、それぞれ反対側の領域（１１１、１２１）から突き出る２つの係止突起体（１１、１２）の間に配置され、および／または、その間に突き出るように、好ましくは接触することなくおよび／または櫛状に係合する、ケーブル保持装置において、
個々の前記ケーブル保持具（１）が１つの共通の基体（１００）上に均等に配列して配置されること、および、
前記共通の基体（１００）が平坦におよび／または平板状に形成され、個々の前記係止突起体（１１、１２）は前記基体（１００）の同じ側から突き出ていること、および、
個々の前記ケーブル保持具（１）が共通の基体（１００）上に均等に配列され、かつ、場合によっては、互いに並べておよび／または互いに前後に配置されること、
を特徴とするケーブル保持装置。
【請求項２】
請求項１に記載のケーブル保持装置において、前記管路領域を画定する前記係止突起体（１１、１２）がＬ字形であり、かつ、前記係止突起体（１１、１２）は、前記管路領域（１３）が閉止されたおよび／またはＵ字形の管路断面を有するように、ある距離だけ互いに反対側に離れていること、および／または、
前記管路領域（１３）の縦方向において、前記係止突起体（１１、１２）が、少なくとも１つの前記係止突起体（１１、１２）の端部（１１０、１２０）が、それぞれ反対側の２つのそれぞれの係止突起体（１１、１２）の間に配置されおよび／または突き出るように、好ましくは接触することなく、櫛状に係合するように配置されること、および／または、
前記係止突起体（１１、１２）が、前記基体（１０）に対して前記係止突起体を転回でき、かつ、転回後にはその当初位置に戻るように、弾性的に曲げることができるように、かつ、弾力を有するように形成されること、
を特徴とするケーブル保持装置。
【請求項３】
請求項１または２に記載のケーブル保持装置において、前記係止突起体（１１、１２）が、曲線形状、特に折り曲げられたフックの形状に構成され、２つの係止突起体部分（１１３、１１４、１２３、１２４）を有し、第１係止突起体部分（１１３、１２３）は、それぞれの領域（１１１、１２１）から７０°〜９０°の角度、好ましくは８５°〜９０°の角度で、特に正確に垂直におよび／または法線状に突き出ており、第２係止突起体部分（１１４、１２４）は、それぞれの前記領域（１１１、１２１）と反対側の前記第１係止突起体部分（１１３、１２３）の端部において前記第１係止突起体部分（１１３、１２３）に繋がって、前記第１係止突起体部分（１１３、１２３）に対してある角度、特に７０°〜１１０°の角度、好ましくは９０°の角度で、それぞれ反対側の領域から突き出る前記係止突起体（１１、１２）の方向に突き出ていること、および／または、
前記２つの係止突起体部分（１１３、１１４、１２３、１２４）が、一体的に構成されること、特に、第１および第２係止突起体部分（１１３、１１４、１２３、１２４）の間に弧（１１５、１２５）を有する平坦体および／または形状ロッドから形成されること、
を特徴とするケーブル保持装置。
【請求項４】
請求項１乃至３の何れか一項に記載のケーブル保持装置において、前記２つの係止突起体部分（１１３、１１４、１２３、１２４）が９０°以下の角度を挟み込むこと、および／または、
前記係止突起体（１１、１２）が突き出ている前記２つの領域（１１１、１２１）が、互いに平行に延びており、および／または、一平面内にあること、および／または、
前記２つの領域（１１１、１２１）から突き出る前記係止突起体（１１、１２）のそれぞれの個数が最大で１つしか違わないこと、および／または、
前記係止突起体（１１、１２）の端部または前記第２係止突起体（１２３、１２４）の端部が前記基体（１０）に向かって傾斜していること、
を特徴とするケーブル保持装置。
【請求項５】
請求項１乃至４の何れか一項に記載のケーブル保持装置において、その端部がそれぞれ反対側の領域（１１１、１２１）の２つの係止突起体（１１、１２）の間に配置される各係止突起体（１１、１２）に対して、反対側の領域（１１１、１２１）の別の係止突起体（１５、１６）が想定され、その別の係止突起体の端部（１５０、１６０）は、それぞれの係止突起体（１１、１２）の端部に近接しておりかつその反対側にあり、特に、前記別の係止突起体（１５、１６）および前記係止突起体（１１、１２）の端部（１１０、１２０、１５０、１６０）の前端面は互いに反対側にある、ことを特徴とするケーブル保持装置。
【請求項６】
請求項５に記載のケーブル保持装置において、前記別の係止突起体（１５、１６）が、それぞれ、前記基体（１０）から、ある角度、特に７０°〜１１０°の角度、好ましくは９０°の角度で突き出る第１係止突起体部分（１５１、１６１）を有し、かつ、前記第１係止突起体部分（１５１、１５２）に繋がって、前記第１係止突起体部分（１５１、１５２）から突き出る第２係止突起体部分（１５２、１６２）を有すること、および、
特に、前記別の係止突起体（１５、１６）の第１および／または第２係止突起体部分（１５１、１５２、１６１、１６２）の形態および／または配列が、前記係止突起体（１１、１２）の第１および／または第２係止突起体部分（１１３、１１４、１２３、１２４）の形態および配列に合致していること、および、
特に、前記別の係止突起体（１５、１６）の第１係止突起体部分（１５１、１６１）の長さが、前記係止突起体（１１、１２）の第１係止突起体部分（１１３、１２３）の長さに合致していること、
を特徴とするケーブル保持装置。
【請求項７】
請求項１乃至６の何れか一項に記載のケーブル保持装置において、前記第１領域（１１１）および／または前記第２領域（１２１）から突き出る係止突起体（１１、１２）が等しく形成および／または配置されること、および／または、すべての別の係止突起体（１１、１２）が等しく形成されること、および／または、
前記第１領域（１１１）および／または前記第２領域（１２１）から突き出る前記別の係止突起体（１５、１６）が等しく形成および／または配列されること、および／または、すべての別の係止突起体（１５、１６）が等しく形成されること、
を特徴とするケーブル保持装置。
【請求項８】
請求項１乃至７の何れか一項に記載のケーブル保持装置において、前記係止突起体（１１、１２）が２つの領域（１１１、１２１）から突き出ており、複数個の第１係止突起体（１１）が前記２領域の内の第１領域（１１１）から突き出ており、複数個の第２係止突起体（１２）が前記２領域の内の第２領域（１２１）から突き出ていること、および／または、
前記第１係止突起体（１１）が、第１直線（１１６）上にある前記第１領域（１１１）の部分領域から突き出ており、および／または、前記第２係止突起体（１２）が、第２直線（１２６）上にある前記第２領域（１２１）の部分領域から突き出ており、前記第１直線（１１６）および前記第２直線（１２６）は好ましくは互いに平行に配列されること、および／または、
複数個の前記別の係止突起体（１５、１６）が前記第１直線（１１６）上にある前記第２領域（１２１）の部分領域から突き出ており、残りの前記別の係止突起体（１６）が前記第２直線（１２６）上にある前記第２領域（１２１）の部分領域から突き出ていること、および／または、
各２つの前記係止突起体（１１、１２）ごとの間に、それぞれ１つの別の係止突起体（１５、１６）が配置されること、および／または、
前記係止突起体（１１、１２）の前記第２係止突起体部分（１１４、１２４）が、場合によっては前記別の係止突起体（１５、１６）の第２係止突起体部分（１５２、１６２）も、同じレベルにあること、および／または、
前記基体（１０）が前記係止突起体（１１、１２）と反対側の領域に少なくとも１つの凹部（１０５）を有すること、
を特徴とするケーブル保持装置。
【請求項９】
請求項１乃至８の何れか一項に記載のケーブル保持装置において、前記基体（１０）が、少なくとも１つの、特に２つの、特に垂直におよび／または法線状に前記基体（１０）から突き出る突起部（１７、１８）を有し、前記突起部（１７、１８）から、個々の係止突起体（１１、１２）と、場合によっては前記別の係止突起体（１５／１６）とが突き出ていること、および／または、
前記管路領域（１３）の管路断面が、少なくとも前記管路領域（１３）の縦方向の延長部分に沿う部分領域において先細になっている、および／または拡大されていること、および／または、
前記係止突起体（１１、１２）が、弾性的に曲げることができるように、および／または、弾力を有するように形成されること、および／または、
前記ケーブル保持具（１）の縦方向における係止突起体（１１、１２）の幅の係止突起体（１１、１２）の厚さに対する比が、４：１〜４：１．５の間、特に４：１．３であること、
を特徴とするケーブル保持装置。
【請求項１０】
請求項１乃至９の何れか一項に記載のケーブル保持装置において、前記係止突起体（１１、１２）、場合によっては前記別の係止突起体（１５，１６）、および／または前記全ケーブル保持具（１）が、合成材料、特にポリエチレンＰＥおよび／またはポリプロピレンＰＰから作製される、ことを特徴とするケーブル保持装置。
【請求項１１】
請求項１乃至１０の何れか一項に記載のケーブル保持装置において、前記基体（１００）が、ケーブル保持装置（５０）を装置に、特に装置（６０）のフレーム（６１）に固定するための固定手段（１０７）であって、特に工具なしに取り外し自在の固定手段（１０７）を有すること、および／または、前記共通基体が、前記係止突起体（１１、１２）と反対側の領域に少なくとも１つの凹部（１０５）を有すること、を特徴とするケーブル保持装置。
【請求項１２】
請求項１乃至１１の何れか一項に記載のケーブル保持装置において、特に２つのケーブル保持具（１）を含み、前記共通基体（１００）がＷ字形の折り曲げられた形状（１０１）を形成し、
２つのケーブル保持具（１）の前記係止突起体（１１、１２）が、前記Ｗ字形の折り曲げられた形状（１０１）の中央の先端部（１０２）から突き出ており、かつ、さらに、前記各ケーブル保持具（１）の前記係止突起体（１１、１２）は前記Ｗ字形の折り曲げられた形状の末端部（１０３）から突き出ており、
場合によっては、前記先端部（１０２）および／または前記末端部（１０３）から突起部（１７、１８）が突き出ており、前記突起部（１７、１８）から係止突起体（１１、１２）が突き出ており、および／または、場合によって、前記Ｗ字形の折り曲げられた形状（１０１）が、前記中央の先端部（１０２）の領域において、好ましくは両方の末端部（１０３、１０４）の領域においても直角を有する、
ことを特徴とするケーブル保持装置。
【請求項１３】
請求項１乃至１２の何れか一項に記載のケーブル保持装置において、前記第１直線および前記第２直線（１１６、１１７）が互いに平行に配置される、ことを特徴とするケーブル保持装置。
【請求項１４】
請求項１乃至１３の何れか一項に記載のケーブル保持装置（５０）を備えた電子装置、特に、賭け事投票装置および／またはゲーム装置。
【発明の詳細な説明】
【技術分野】
【０００１】
本発明は独立請求項１の前提部によるケーブル保持具に関する。
【０００２】
このようなケーブル保持具は、ケーブルを収納するためと、ケーブル管路を構築するためとに用いられる。特に、このようなケーブル保持具は、電気装置、好ましくはゲーム機の内部で用いることができる。
【０００３】
ゲーム機用のケーブルガイドは技術の現状において知られており、それにより、ケーブルストランドは、ケーブル結合具および／または渦巻き結束帯によって一緒にまとめられる。ケーブルストランドは、保持プレートまたはクリップによって装置のハウジングに結合される。
【０００４】
ここで、ケーブルストランドをその後ハウジング内部において取り外し、また新たに結合することが困難または多くの労力を伴ってのみ可能であるという本質的な欠点が生じる。従って、ケーブルストランドを容易に嵌め込むことができ、かつ、容易に取り外しできるケーブル保持具を創出することが課題になる。
【０００５】
特にゲーム機に関する技術の現状の別の欠点または問題点は、装置ハウジング内部において常に同等に固定されたケーブルハーネス配置の場合、個々のケーブルが常に同じ位置にあるという点である。ケーブルの位置に関する正確な知識があれば、このような装置において、ハウジングを外側から操作することが多くの場合可能になる。これは、例えば、適切な位置においてハウジングにドリル穿孔することによって生じ得る。装置の操作をなす人物が、ケーブルまたはケーブルストランドが敷設されている各位置を知っていると、この人物が複数の他の装置について同じ操作を実行し得る危険性が生じる。
【０００６】
従って、本発明の別の付加的な課題は、装置の操作可能性の低減にある。
【０００７】
本発明は、上記の課題を、独立請求項１の特徴を備えた上記のタイプのケーブル保持具によって解決する。
【０００８】
従って、本発明によれば、１本または複数本のケーブルを収納するケーブル保持具であって、基体と、その基体から突き出る複数個の係止突起体とを含むケーブル保持具が提供される。この係止突起体は、互いに反対側の領域から突き出ており、それによって、その係止突起体と、場合によっては基体とは、ケーブルを導線するための管路領域を閉囲し、画定し、および／または決定する。その場合、その係止突起体は、一方の領域から突き出る少なくとも１つの係止突起体の端部が、それぞれ反対側の領域の２つの係止突起体の間に配置され、および／または、その間に突き出るように、好ましくは接触することなくおよび／または櫛状に相互に係合することが想定されている。
【０００９】
このようなケーブル保持具によって、ケーブルストランドの簡単な敷設と、ケーブル保持具からのケーブルストランドの簡単な取り外しと、ケーブル保持具からのケーブルストランドの取り外し並びに別のケーブル保持具の中へのケーブルストランドの挿入による個々のケーブルストランドの位置の速やかな変更または相対的に僅かな労力による変更が可能になる。
【００１０】
従って、１本または数本のケーブルのケーブルルートの構成または変更を、速やかに、または相対的に僅かな労力で実現でき、その場合、ケーブルストランドは、装置のハウジング内部においてケーブル保持具から取り外され、同じハウジング内の別のケーブル保持具内に敷設される。これによって、ケーブル保持具が複数の可能な形態を許容し、そのため、ケーブルストランドを装置内において多少ともランダムな位置に敷設できるので、修理操作が非常に簡単化される。これによって、装置の狙いを定めた操作は難しいものになる。
【００１１】
さらに、本発明は、同じ電子装置の装置ハウジング内に複数のケーブルおよびケーブルストランドを容易かつ柔軟に装着することが可能になるという利点を提供する。装置の配線された構成部品の交換の場合のようなケーブルの交換時に、特に利点が活かされ、これにより、個々のケーブルを、係止突起体を通して、ケーブル保持具からきわめて容易に取り外すことができる。
【００１２】
このケーブル保持具またはケーブル管路は、簡単な取り扱いを可能にしかつ組み付け時間を低減する閉じ込みクリップのようないかなる別個の閉じ込みまたは固定要素も必要としない。
【００１３】
本発明の特別な一態様は、管路領域を画定する係止突起体がＬ字形であって、その係止突起体は、管路領域が閉止されたおよび／またはＵ字形の管路断面を有するように、ある距離だけ互いに反対側に離れていることを想定している。係止突起体または管路断面のこの有利な実施形態は、ケーブルストランドまたはケーブルの管路領域内への簡単な敷設、あるいは、管路領域からの簡単な取り外しを可能にする。
【００１４】
さらに、管路領域の縦方向において、係止突起体を、次のような態様、すなわち、少なくとも１つの係止突起体の端部が、それぞれ反対側の２つの係止突起体の間に配置されるように、あるいは、その間に突き出るように、係止突起体が、好ましくは接触することなく櫛状に相互に係合するような態様に配置することができる。これによって、例えば振動によって惹起されるケーブルまたはケーブルストランドのケーブル管路からの意図しない脱落が防止される。
【００１５】
さらに、係止突起体をケーブル保持具の基体に対して転回することができるが、転回後はその当初位置に戻り得るように、係止突起体を、弾性的に曲げることが可能であり、かつ弾力を有するように構成することができる。これによって、ケーブル管路内へのケーブルの敷設が簡単化され、さらに、ケーブルを、２つの係止突起体の間の中間領域を通して押し込むことができる。
【００１６】
ケーブルストランドがケーブル管路から移動または滑動することを防止する係止突起体の特に有利な実施形態は、係止突起体が曲線形状、特に折り曲げられたフックの形状に形成され、かつ、２つの係止突起体部分を有し、その場合、第１係止突起体部分は、それぞれの領域から７０°〜９０°の角度、好ましくは８５°〜９０°の角度で、特に正確に垂直におよび／または法線状に突き出ており、さらに、第２係止突起体部分は、それぞれの領域と反対側の第１係止突起体部分の端部において第１係止突起体部分に繋がって、第１係止突起体部分に対して特に７０°〜１１０°の角度、好ましくは９０°の角度で、それぞれ反対側の領域から突き出る係止突起体に向かう方向に突き出ていることを想定している。
【００１７】
係止突起体の構造的に特に簡単な実施形態は、２つの係止突起体部分を、一体的に形成すること、特に、第１および第２係止突起体部分の間に弧を有する平坦体および／または形状ロッドから形成することを想定している。
【００１８】
ケーブルストランドをケーブル管路またはケーブル保持具の中に簡単に嵌め込むために、２つの係止突起体部分が９０°以下の角度を挟み込むことを想定できる。
【００１９】
特に簡単なケーブル導管を可能にするために、かつ、ケーブルの方向に長い延長範囲を有する長いケーブル保持具の形成を可能にするために、係止突起体が突き出る２つの領域を、互いに平行に延ばすことおよび／または一平面内に配置することを想定できる。
【００２０】
ケーブルまたはケーブルストランドを挿入する際、または、ケーブルまたはケーブルストランドを取り外す際のケーブル管路の基体の圧力の均等化を実現するために、かつ、ケーブル管路の構造の簡単な実施形態を実現するために、両領域から突き出る係止突起体のそれぞれの個数を、互いに多くとも１つしか違わないものにすることを想定できる。
【００２１】
ケーブルストランドのケーブル管路またはケーブル保持具の中への装着を簡単化するために、係止突起体の端部または第２係止突起体部分の端部を基体に向かって傾斜させることを想定できる。
【００２２】
ケーブルストランドまたはケーブルの特に振動による意図しない移動または滑動を防止するために、その端部がそれぞれ反対側の領域から突き出る２つの係止突起体の間に配置される各係止突起体に対して、反対側の領域から突き出る別の係止突起体が想定され、その別の係止突起体の端部は、それぞれの係止突起体の端部に近接しておりかつその反対側にあり、その場合、特に、上記別の係止突起体および上記係止突起体の端部の前端面は互いに反対側にあることを想定できる。
【００２３】
このようなケーブル管路の構造的に簡単な実施形態を実現するために、上記別の係止突起体が、それぞれ、基体から、ある角度、特に７０°〜１１０°の角度、好ましくは９０°の角度で突き出る第１係止突起体部分を有し、かつ、その第１係止突起体部分に繋がってその第１係止突起体部分から突き出る第２係止突起体部分を有することを想定できる。
【００２４】
構造的な構成を簡単化するため、上記別の係止突起体の第１および／または第２係止突起体部分の形態および／または配列を、上記係止突起体の第１および／または第２係止突起体部分の形態および／または配列に合致させることが想定される。
【００２５】
構造をさらに付加的にまたは代替方式として簡単化するために、上記別の係止突起体の第１係止突起体部分の長さを係止突起体の第１係止突起体部分の長さに合致させることが想定される。
【００２６】
本発明のケーブル保持具の構造をさらに簡単化するために、第１領域および／または第２領域から突き出る係止突起体を等しく形成および／または配置すること、および／または、すべての係止突起体を等しく形成することが想定される。
【００２７】
同じ目的のため、付加的にまたは代替的に、第１領域および／または第２領域から突き出る上記別の係止突起体を等しく形成および／または配列すること、かつ、すべての別の係止突起体を等しく形成することが想定される。
【００２８】
ケーブルの方向に長い縦方向の延長範囲を有する長いケーブル保持具を形成するために、係止突起体が２つの領域から突き出ることを想定できる。この場合、複数個の第１係止突起体が２領域の内の第１領域から突き出ており、複数個の第２係止突起体が２領域の内の第２領域から突き出ている。
【００２９】
ケーブルまたはケーブルストランドのケーブル管路からの移動または滑動を防止するために、第１係止突起体が、第１直線上にある第１領域の部分領域から突き出ていること、および／または、第２係止突起体が、第２直線上にある第２領域の部分領域から突き出ていることを想定できる。この場合、第１直線および第２直線は互いに平行に配置されることが望ましい。
【００３０】
さらに付加的にまたは代替的に、同じ目的のため、複数個の上記別の係止突起体が第１直線上にある第２領域の部分領域から突き出ており、残りの上記別の係止突起体が第２直線上にある第２領域の部分領域から突き出ていることを想定できる。
【００３１】
ケーブル保持具の外側に配置されるケーブルの捩れまたは混線を防止する空間節約型の構造を得るために、各２つの係止突起体ごとの間に、それぞれ１つの別の係止突起体を配置することを想定できる。
【００３２】
これにより、特に、係止突起体の第２係止突起体部分が、場合によっては上記別の係止突起体の第２係止突起体部分も、同じレベルにあることを想定できる。
【００３３】
基体の材料必要量を低減するために、基体が係止突起体と反対側の領域に少なくとも１つの凹部を有することを想定できる。
【００３４】
係止突起体の安定化のために、並びに、ケーブルストランドまたはケーブルを挿入および引き抜く際の係止突起体の破損を防止するために、基体が、少なくとも１つの、特に２つの、特に垂直におよび／または法線状にその基体から突き出る突起部を有し、その突起部から、個々の係止突起体と、場合によっては上記別の係止突起体とが突き出ることを想定できる。
【００３５】
ケーブルを簡単に導線するために、管路領域の管路断面が、少なくとも管路領域の縦方向の延長部分に沿う部分領域において先細になっている、および／または拡大されていることを想定できる。
【００３６】
ケーブルのケーブル保持具の中への挿入またはそれからの引き抜きを簡単にするために、係止突起体を、弾性的に曲げることができるように、および／または、弾力を有するように形成することを想定できる。
【００３７】
ケーブルストランドまたはケーブルを挿入または引き抜く際の係止突起体の破損を防止するために、ケーブル保持具の縦方向における係止突起体の幅の係止突起体の厚さに対する比を４：１〜４：１．５の間、特に４：１．３とすることを想定できる。
【００３８】
十分に弾性的に曲げることができる可能性を保証するために、特に、係止突起体、場合によっては上記別の係止突起体、および／または全ケーブル保持具を、合成材料、特にポリエチレンＰＥおよび／またはポリプロピレンＰＰから作製することを想定できる。
【００３９】
さらに、本発明は、本発明による複数個のケーブル保持具を包含するケーブル保持装置に関する。
【００４０】
部外者には特定できないあるいは予測できないケーブル配線を実現するために、個々のケーブル保持具を１つの共通の基体上に均等に配列して配置することを想定できる。
【００４１】
ケーブル保持具を装置に容易にまたは簡単に固定するため、基体が、ケーブル保持装置を装置に、特に装置のフレームに固定するための固定手段であって、特に工具なしに取り外し自在の固定手段を有することを想定できる。
【００４２】
材料消費量を低減するために、共通基体が、係止突起体と反対側の領域に少なくとも１つの凹部を有することを想定できる。
【００４３】
ケーブル保持具を装置の隅の領域に固定するために、共通の基体がＷ字形の折り曲げられた形状を形成し、さらに、各ケーブル保持具の係止突起体が、Ｗ字形の折り曲げられた形状の中央の先端部から突き出ていることを想定できる。
【００４４】
ここで、先端部および／または末端部から突起部が突き出ており、その突起部から、係止突起体が突き出ていると、特に大きなケーブル断面を実現できる。
【００４５】
Ｗ字形の折り曲げられた形状が、中央の先端部の領域において、好ましくは両方の末端部においても、直角を有していると、直角の装置の隅の領域における特に有利な適合が実現される。
【００４６】
ケーブル保持装置を平坦に形成された装置の表面に固定するために、共通の基体を平坦におよび／または平板状に形成し、個々の係止突起体が基体から同じ側から突き出ることを想定できる。
【００４７】
複数の異なるケーブル配線の可能性を実現するために、かつ、それによって第三者による意図的な操作に対抗するために、個々のケーブル保持具を均等に配列すること、および、場合によっては、互いに並べておよび／または互いに前後に配置することを想定できる。
【００４８】
同じ目的のため、付加的にまたは代替的に、第１および第２の直線を互いに平行に配置することを想定できる。
【００４９】
最後に、本発明は、少なくとも、本発明のケーブル保持装置、または、少なくとも複数個の本発明のケーブル保持具を包含する電子装置、特に、賭け事投票機械およびゲーム機あるいは賭け事投票装置およびゲーム装置に関する。このような電子装置は、複数のケーブル配線の可能性を有しており、この複数の可能性は、常に同じやり方で行われるその製造者の賭け事投票装置およびゲーム装置の操作を防止するように、装置の製造者が、その装置に異なるケーブルの位置を備えることを可能にするのである。
【００５０】
以下、本発明の４つの実施形態を添付の図面によって詳細に説明する。
【図面の簡単な説明】
【００５１】
【図１】図１は、Ｗ字形の断面を有するケーブル保持装置を斜視図で示す。
【図２】図２は、図１に示すケーブル保持装置を異なる角度から見た斜視図で示す。
【図３】図３は、図１に示すケーブル保持装置を側面図で示す。
【図４】図４は、図１に示すケーブル保持装置をもう一方の側の側面図で示す。
【図５】図５は、図１に示すケーブル保持装置の上面図を示す。
【図６】図６は、図１に示すケーブル保持装置の下面図を示す。
【図７】図７は、図１に示すケーブル保持装置を管路領域の図で示す。
【図８】図８は、電子装置の内部を示す。その内部の隅の領域に図１に示すケーブル保持具が装着されている。
【図９】図９は、本発明の第２の実施形態を斜視図で示す。
【図１０】図１０は、図９に示す本発明の実施形態を異なる角度から見た斜視図で示す。
【図１１】図１１は、図９に示す本発明の実施形態を側面図で示す。
【図１２】図１２は、図９に示す本発明の実施形態を反対側の側面図で示す。
【図１３】図１３は、図９に示す本発明の実施形態を管路領域の図で示す。
【図１４】図１４は、図９に示す本発明の実施形態の上面図を示す。
【図１５】図１５は、図９に示す本発明の実施形態の下面図を示す。
【図１６】図１６は、図９に示すような複数個のケーブル保持装置が内部に装着された装置の内部を示す。
【図１７】図１７は、本発明の第３の実施形態を斜視図で示す。
【図１８】図１８は、本発明の第４の実施形態を斜視図で示す。
【００５２】
図１においては、２つのケーブル保持具１、１’を備えたケーブル保持装置５０の本発明による第１の実施形態が示されている。ケーブル保持具１、１’は共通の基体１００を有し、相互に分割される２つの管路領域１３、１３’が形成されている。基体１００はＷ字形の折り曲げられた形状１０１を有し、そのＷ字形の形状１０１は、中央の先端部１０２と、２つの末端部１０３とを有する。中央の先端部１０２は末端部１０３に平行であり、かつそれと同じレベルにある。
【００５３】
両方の管路領域１３、１３’は、それぞれ、Ｗ字形の形状１０１の半分と、突起部１７、１８とによって画定される。突起部１７、１８は、先端部１０２および末端部１０３から突き出ている。中央の突起部１７、１８は中央の先端部１０２から突き出ており、各側方の突起部１７、１８は２つのそれぞれの末端部１０３の一方から突き出ている。
【００５４】
この実施形態におけるこれらの突起部１７、１８は、中央の先端部１０２および両側の末端部１０３が決定する平面に対して法線状に垂直に形成されて、中央の先端部１０２または末端部１０３に取り付けられ、これらに繋がっている。突起部１７、１８は、Ｗ字形の形状１０１の形状の縦方向に、形状の全長にわたって延びており、中央の先端部１０２および末端部１０３が決定する平面において法線状に突き出ている。
【００５５】
先端部１０２または各末端部１０３と反対側の各突起部１７、１８のそれぞれの末梢端部に、領域１１１、１２１を有する表面が形成され、その表面から個々の突起体１１、１２が突き出ている。
【００５６】
第１管路領域１３を画定する第１ケーブル保持具１に関しては、末端部１０３と反対側の突起部１７、１８の末梢端部上の領域と、中央の突起部１７、１８上の領域とが、互いに反対側の領域１１１、１２１と呼称される。同様に、第２管路領域１３’を画定する第２ケーブル保持具１’に関しては、末端部１０３と反対側の突起部１７、１８の末梢端部上の領域と、中央の突起部１７、１８上の領域とが、互いに反対側の領域１１１、１２１と呼称される。
【００５７】
図７に示すように、係止突起体１１、１２は、それぞれ、第１係止突起体部分１１３、１２３と第２係止突起体部分１１４、１２３とを包含する。係止突起体１１、１２は、Ｌ字形または折り曲げられたフックの形状に形成され、それぞれ２つの係止突起体部分１１３、１１４、１２３、１２４を有する。各係止突起体１１、１２は、それぞれ、第１係止突起体部分１１３、１２３と、第２係止突起体部分１１４、１２４とを有し、第１係止突起体部分１１３、１２３は、それらが突き出ている領域１１１、１２１に対して垂直におよび／または法線状に突き出ている。第２係止突起体部分１１４、１２４は、第１係止突起体部分１１３、１２３のそれぞれの末梢端部において、第１係止突起体１１３、１２３に繋がっている。
【００５８】
係止突起体部分１１３、１１４、１２３、１２４は、一体的にかつ平坦体から形成される。この実施形態の場合、曲線化された形状ロッドが係止突起体１１、１２として用いられる。これらの形状ロッドまたは平坦体は、第１および第２係止突起体部分１１３、１１４、１２３、１２４の間にそれぞれ弧１１５、１２５を有する。この弧１１５、１２５は、２つの係止突起体部分１１３、１１４、１２３、１２４が、９０°以上の角度、この実施形態の場合約７５°の角度を挟み込むように形成される。
【００５９】
第２係止突起体部分１１４、１２４は、第１係止突起体部分の端部からそれぞれ反対側の領域１１１、１２１の方向に突き出ている。個々の係止突起体１１、１２は櫛状に配置される。すなわち、それは、相互に間隔を開けて配置され、かつ均等に配列される。これにより、第１ケーブル保持具１、１’の同じ領域１１１、１２１から突き出るすべての係止突起体１１、１２は、それぞれ隣接して配置される係止突起体１１、１２に対して同じ距離を有する。
【００６０】
係止突起体１１、１２は、それぞれ共通の直線１１６、１１７上に配置される領域１１１、１２１上の点および／または部分領域から突き出ている。互いに反対側の係止突起体１１、１２は接触することなく相互に係合しており、これにより、係止突起体１１、１２の端部１１０、１２０、もしくは第２係止突起体部分１１４、１２４の端部１１０、１２０（図２、５）は、接触することなく近接している。各係止突起体１１、１２のそれぞれの端部１１０、１２０は、それぞれ反対側の領域１１１、１２１から突き出ている２つの係止突起体１１、１２の間に配置されるか、あるいは、反対側の領域１１、１２から突き出ている２つの係止突起体１１、１２の間の中間領域の中に突き出ている。係止突起体１１、１２もしくは第２係止突起体部分１１４、１２４の個々の端部１１０、１２０は、反対側の領域１１１、１２１から突き出ている係止突起体１１、１２と接触しないように配置される。この実施形態においては、すべての係止突起体１１、１２は等しく形成されかつ配列され、相互に接触しない。
【００６１】
中央の先端部１０２から突き出る突起部１７、１８の上に、第１管路領域１３を画定する係止素子１１、１２と、もう一方の管路領域１３’を画定する係止突起体１１、１２とが形成される。中央の先端部１０２と反対側の中央の突起部１７、１８の面が領域１１１、１２１を形成し、その領域１１１、１２１から、第１管路領域１３を画定しかつ第２管路領域１３’を画定するための係止突起体１１、１２が突き出ている。
【００６２】
係止突起体１１、１２の配置は、管路領域１３、１３’が閉止形および／またはＵ字形の管路断面を有するように行われる。
【００６３】
この実施形態においては、ケーブル保持装置５０の２つのケーブル保持具１、１’が共に、それぞれ４個の第１係止突起体１１と、４個の第２係止突起体１２とを含んでいる。第２係止突起体部分１２３、１２４の端部は、共通の基体１００に向かって、あるいは、末端部１０３および中央の先端部１０２が決定する平面に対して傾斜している。
【００６４】
装着を簡単にするために、Ｗ字形の形状１０１の領域に４個の固定要素１０７が設けられる。この固定要素１０７は、ケーブル保持器５０の装置６０またはそのフレーム６１との工具不要かつ取り外し自在の固定を可能にする。図１〜７に示すケーブル保持器５０の好ましい配置が図８に示される。この場合の装置は、フレーム６１と、装置ハウジングを形成しかつ装置の内部を閉囲する多重壁要素とを包含している。
【００６５】
ケーブル保持器５０のＷ字形の形状１０１の個々の端部は互いに直角である。図８は、装置６０のフレーム６１の折り曲げられた隅の形状部分に装着されたケーブル保持器５０を示している。この場合、個々の固定手段１０７は、フレーム６１の隅の形状部分上の凹部に係合しており、従って、ケーブル保持器５０のフレーム６１への取り外し自在の固定を可能にしている。図８は、さらに、ケーブル保持器５０の２つの管路領域１３の一方に導線されたケーブル２を示している。
【００６６】
ケーブル保持器５０の基体１０、１００は、係止突起体１１、１２と反対側の領域において凹部を有する。さらに、別の付加的な凹部が想定され、その凹部の中に、装置６０のフレーム６１における固定用の固定手段１０７が配置される。図１〜７に示す本発明の実施形態の両方の管路領域１３、１３’の管路断面は、それぞれの管路領域１３、１３’の全延長範囲にわたって同じままである。
【００６７】
本発明のこの実施形態における係止突起体１１、１２は、弾性的に曲げることが可能であり、かつ弾力を有するように構成され、合成材料、すなわちポリエチレンから作製される。係止突起体１１、１２のスプリング効果によって、管路領域１３、１３’の中にケーブル２を挿入する過程において、係止突起体１１、１２を変形および転回した後に、係止突起体１１、１２がその当初位置に戻ることになる。この場合、ポリエチレンのコンシステンシーは、係止素子が、個々の係止素子１１、１２の転回を可能にする曲げ強さおよび弾性を有するように選択され、係止素子１１、１２上への圧力によって、ケーブルを管路領域１３、１３’の中に挿入し得るように、選択される。
【００６８】
代替方式として、ケーブル保持具１を、ポリプロピレン、あるいは、弾性的に曲げることが可能であり、かつ弾力を有する他の合成材料から作製することも可能である。この場合、係止突起体１１、１２だけでなく、ケーブル保持器５０全体も合成材料から作製することができる。
【００６９】
図９〜１６には、本発明によるケーブル保持装置５０の第２の実施形態が示される。本発明のこの第２の実施形態は、以下に述べる差異を除いて、本発明の第１実施形態に合致している。
【００７０】
このケーブル保持装置５０の共通の基体１００は、第１実施形態の場合とは違って、平坦にかつ平板状に形成され、個々の係止突起体１１、１２は、同様に、基体１００が決定する表面に平行に延びる突起部１７、１８上の領域１１１、１２１の上に配置される。共通の基体１００は複数個の固定手段１０７を有し、その固定手段１０７によって、ケーブル保持装置５０を、装置６０のフレーム６１に工具なしに取り外し自在に配置できる。第１実施形態の場合と同様に、ここに示すケーブル保持装置５０は２つの管路領域１３、１３’を包含する。この２つの管路領域１３、１３’は、平行に配置され、中央に配置される突起部１７、１８によって相互に分割される。第１実施形態の場合と同様に、基体１００の３つの突起部１７、１８が、基体から突き出ており、基体１００と反対側の末梢端部において、個々の係止突起体を担持している。個々の係止突起体１１、１２の形式、形状および配列は第１実施形態と同一である。
【００７１】
本発明の第１実施形態および第２実施形態の間の本質的な差異は、第２実施形態の基体１００が平坦かつ平板状の形状を有するという点である。突起部は基体１００の平面に直接取り付けられる。基体１００の形態のため、このケーブル保持装置５０は、本発明の第２実施形態に示すように、平板状の支持体における装着用として好適には使用できる。
【００７２】
図１６においては、装置６０の内部のケーブル配線がさらに詳細に表現されている。この場合、図９〜１５の本発明の第２実施形態に示すようなケーブル保持装置が複数個用いられている。図９〜１５に示すケーブル保持装置５０の実施形態とは違って、図１６においては、共通の基体１０上に配置される相互に分割された４個の管路領域を有するケーブル保持装置５０が用いられている。
【００７３】
ここでは、ケーブル保持装置５０は、基板１０の固定手段１０７を介して、または、装置６０のハウジング部分にボルト止めされる。代わりの方式として、工具不要の固定方式を想定することが可能である。例えば、固定手段１０７を穿孔によって形成することができ、その穿孔の中に、可撓性のセグメント部分を配置して、穿孔の中に差し込まれるロッド形状の挿入体が逆鉤フック方式でそのセグメント部分によって固定されるようにするのである。可撓セグメント部分は基板１０と同じ材料で構成することが可能である。
【００７４】
図１６におけるＡ部領域から明らかなように、装置６０内におけるケーブル２、２’、２’’、２’’’またはケーブルハーネスの導線は異なる方式で行うことが可能である。ケーブル保持装置５０は４個の異なる管路領域１３を有するが、図示の場合、ケーブル２、２’、２’’、２’’’のすべては、４個の管路領域１３の内の２つのみを通っており、ケーブル保持装置５０の残りの管路領域１３はケーブル２を含んでいない。しかし、装置６０に対して狙いを定めた操作を実行することは、操作を遂行する人物が個々のケーブル２、２’、２’’、２’’’の正確な位置を知っていて、外側から有効な介入をなし得る場合にのみ可能であろう。しかし、ケーブル２、２’、２’’、２’’’が（製造において）常に異なる方式で導線されると、有効な操作の実行は大幅に困難になる。ケーブル２、２’、２’’、２’’’を管路領域１３から単に取り外すまたは再挿入することによって、新しい導線が簡単に可能になり、個々のケーブル２、２’、２’’、２’’’を外側から操作することは一層困難になる。
【００７５】
第１および第２実施形態は、中央の突起部１７、１８を貫通して延びかつ末端部が決定する平面に法線状に延びる平面に関して対称に構成される。
【００７６】
本発明のケーブル保持装置５０の第３実施形態が図１７に示される。この実施形態は、平板状かつ平坦な共通の基体１００を有し、この基体１００は、共通基体１００もしくはケーブル保持装置５０を装置６０のフレーム６１に固定するための４個の固定手段１０７を有する。共通基体１０の上に、４個のケーブル保持具１が均等に配列され、かつ平行に配置されている。
【００７７】
各ケーブル保持具１は、共通の基体１００から殆ど垂直にまたは法線状に突き出る２つの突起部１７、１８を有する。基体１００と反対側の突起部１７、１８の端部において、係止突起体１１、１２および別の係止突起体１５、１６が突き出ている。前記の実施形態において示したのと同様に、係止突起体１１、１２は、それぞれ、基体１０に対して７０〜９０°の角度、特に８５〜９０°の角度でほぼ法線状に延びる第１係止突起体部分１１３、１１４と、係止突起体１１、１２が曲線化される弧１１５、１２５と、基体１０に殆ど平行に延びる第２係止突起体部分１１４、１２４とを包含する。
【００７８】
係止突起体１１、１２は、各突起部１７、１８から櫛状に突き出ているが、これにより、各係止突起体１１、１２の端部１１０、１２０は、それぞれ、互いに反対側の２つの領域１１１、１２１の間に、または、それぞれ反対側の突起部１７、１８から突き出る係止突起体１１、１２の間に、突き出ているか、または、配置される。
【００７９】
基体１０と反対側の突起部１７、１８の端部におけるケーブル保持装置５０の領域１１１、１２１は平行に延びており、かつ同じレベルにある。上記の２つの実施形態例の場合と同様に、領域１１１、１２１から突き出る係止突起体１１、１２の個数は等しい。
【００８０】
当然ながら、代わりの方式として、本発明のすべての実施形態に対して、第１領域１１１から突き出る係止突起体１１の個数と、第２領域１２１から突き出る係止突起体１２の個数とが異なっている場合を想定できる。特に、両領域１１１、１２１から突き出る係止突起体１１、１２のそれぞれの個数が好適には１だけ異なることが有利である。特に、高々１だけの相違は、いずれにしても、ケーブル保持装置５０の機能を損なうことなく可能である。
【００８１】
図１７に示す実施形態においては、すべての第２係止突起体部分１１４、１２４は同じレベルにあり、それにより、このレベルは基体１０の平面に平行に延びている。
【００８２】
各係止突起体１１、１２の端部は、それぞれ反対側の領域１１１、１２１から突き出る２つの係止突起体１１、１２の間に配置されるが、この各係止突起体１１、１２に対して、反対側の領域１１１、１２１から突き出る別の係止突起体１５、１６が想定される。この別の係止突起体１５、１６の端部１５１、１６１は、それぞれの係止突起体１１、１２の端部に近接しており、かつ、反対側に位置している。この実施形態においては、上記別の係止突起体１５、１６も、基体１０に平行に延びる同じレベルにあり、このレベルには、第２の係止突起体１２３、１２４も位置している。係止突起体１１、１２と上記別の係止突起体１５、１６との端部１１０、１２０、１５１、１６１の先端面は互いに反対側に位置している。
【００８３】
上記別の係止突起体１５、１６は、基体１０または基体１０の突起部１７、１８から７０〜９０°の角度、特に８５〜９０°の角度でほぼ法線状に突き出る第１係止突起体部分１５１、１６１を有する。別の係止突起体１５、１６の第２係止突起体１５２、１６２は、第１係止突起体部分１５１、１６１に、基体１０と反対側のその端部において繋がっている。この別の係止突起体１５、１６は、それぞれ、各第１および第２係止突起体部分１５１、１５２、１６１、１６２を接続する曲り部を有するが、その場合、第１および第２係止突起体部分１５１、１５２、１６１、１６２は、殆ど互いに直角である。以下、この曲り部を弧１５３、１６３と呼称する。この別の係止突起体１５、１６の第１および／または第２係止突起体部分１５１、１５２、１６１、１６２の形態および配列は、係止突起体１１、１２の第１および第２係止突起体部分１１３、１１４、１２３、１２４の形態および配列に合致する。
【００８４】
それによって、上記別の係止突起体１５、１６の第１係止突起体部分１５１、１６１の長さは、係止突起体１１、１２の第１係止突起体部分１１３、１２３の長さに合致する。この別の係止突起体１５、１６の第１および第２係止突起体部分１５１、１５２、１６１、１６２の形態および配列は、係止突起体１１、１２の第１および／または第２係止突起体部分１１３、１１４、１２３、１２４の形態および配列に合致する。この別の係止突起体１５、１６（並びに係止突起体１１、１２）は、等しく構成され、かつ均等に配列される。
【００８５】
前記の両実施形態の場合と同様に、ケーブル保持装置５０に付属する各ケーブル保持具１は、２つの突起部１７、１８上にそれぞれ２つの領域１１１、１２１を有し、その２つの領域１１１、１２１から係止突起体１１、１２が突き出ている。係止突起体が突き出ている領域１１１、１２１の部分は、それぞれ直線１１６、１１７上にある。図１７に示すケーブル保持装置５０の各ケーブル保持具１は、２つの突起部１７、１８を有する。
【００８６】
２つの突起部の内の第１突起部１７の上に第１領域１１１が想定され、その領域から、複数個の第１係止突起体１１が反対側の第２突起部１８の方向に突き出ている。同様に、第２突起部１８の上に、第２領域１２１が想定され、その領域から、複数個の第２係止突起体１２が第１突起部１７の方向に突き出ている。すべての第１係止突起体１１は、第１直線１１６上にある第１領域１１１の部分領域から突き出ており、すべての第２係止突起体１２は、第２直線１２６上にある第２突起部１８の第２領域１２１の部分領域から突き出ている。
【００８７】
図１７のケーブル保持装置５０のケーブル保持具１におけるすべての第１直線１１６および第２直線１２６は、互いに平行である。
【００８８】
上記別の係止突起体１５、１６も、それぞれ、第２直線の第１直線１１６、１２６上にある第１および第２領域１１１、１２１の部分領域から突き出ている。複数個の上記別の係止突起体１５、１６が、第１直線１１６上にある第１領域１１１の部分領域から突き出ており、以下これを別の第１係止突起体１５と呼称する。残りの別の係止突起体は、第２直線１２６上にある第２領域１２１の部分領域から突き出ており、以下これを別の第２係止突起体１６と呼称する。１つの領域１１１、１２１上に隣接して配置される２つの係止突起体１１、１２の間に、それぞれ別の係止突起体１５、１６が配置される。係止突起体１１、１２の第２係止突起体部分１１４、１２４と、別の係止突起体１５、１６の第２係止突起体部分１５２、１６２とは同じレベルにある。
【００８９】
個々の係止突起体部分１１３、１１４、１２３、１２４は、第１および第２係止突起体部分１１３、１１４、１２３、１２４の間に弧１１５、１２５を有する平坦体または形状ロッドから一体的に形成される。係止突起体１１、１２は、弾性的に曲げることが可能であり、かつ弾力を有するように構成され、その場合、管路またはケーブル保持具１の縦方向における係止突起体１１、１２の幅の係止突起体１１、１２の厚さに対する比が、４：１〜４：１．５の間の値であり、この実施形態における好ましい値として４：１．３である。
【００９０】
この実施形態においては、全ケーブル保持装置５０がポリエチレンから作製される。それにより、係止素子１１、１２のポリエチレンのコンシステンシーは、係止素子が、個々の係止素子１１、１２の転回を可能にする曲げ強さおよび弾性を有するように選択され。係止素子１１、１２上への圧力によって、ケーブルを管路領域１３、１３’の中に挿入し得るように選択される。さらに、本発明のこの特定の実施形態においては、全ケーブル保持装置５０が一体的に構成される。
【００９１】
代わりの方式として、図１７に示すケーブル保持装置５０は、ポリプロピレン、あるいは、類似のコンシステンシーまたは材料特性、特に弾性および曲げ強さを有する他の合成材料から作製することも可能である。
【００９２】
図１８に示す本発明の別の第４の実施形態は、基体１０を含む単一のケーブル保持具１に関する。ケーブル保持具１、１’は分割された管路領域１３を構成する。基体１０は、基板によってプレート形状に構成され、その基板の末端部１０３において、突起部１７、１８が突き出ている。
【００９３】
この突起部１７、１８は、この実施形態においては、基板が決定する平面に垂直に法線状に形成され、中央の先端部１０２または末端部１０３に取り付けられ、これに繋がっている。突起部１７、１８は、形状の縦方向において、ケーブル保持具１の全長にわたって延びており、末端部１０３が決定する平面において法線状に突き出ている。
【００９４】
それぞれの突起部１７、１８のそれぞれの末端部１０３と反対側のそれぞれの端部において、領域１１１、１２１を有する表面が形成され、その表面から個々の係止突起体１１、１２が突き出ている。
【００９５】
第１管路領域１３を画定する第１ケーブル保持具１に関して、末端部１０３と反対側の突起部１７、１８の端部上の領域１１１、１２１および突起部１７、１８上の領域が、互いに反対側の領域１１１、１２１と呼称される。
【００９６】
この実施形態においては、係止突起体１１、１２は（残りの実施形態の場合も同様に）それぞれ、第１係止突起体部分１１３、１２３と、第２係止突起体部分１１４、１２４とを包含する。係止突起体１１、１２は、Ｌ字形または折り曲げられたフックの形状に形成され、それぞれ２つの各係止突起体部分１１３、１１４、１２３、１２４を有する。各係止突起体１１、１２は、それぞれ、第１係止突起体部分１１３、１２３と、第２係止突起体部分１１４、１２４とを有し、第１係止突起体部分１１３、１２３は、それらが突き出ている領域１１１、１２１に対して垂直におよび／または法線状に突き出ている。第２係止突起体部分１１４、１２４は、各領域１１１、１２１と反対側の第１係止突起体部分１１３、１２３の端部において、第１係止突起体１１３、１２３に繋がっている。
【００９７】
係止突起体部分１１３、１１４、１２３、１２４は、一体的に形成され、かつ平坦体から形成される。この実施形態の場合、曲線化された形状ロッドが係止突起体１１、１２として用いられる。これらの形状ロッドまたは平坦体は、第１および第２係止突起体部分１１３、１１４、１２３、１２４の間にそれぞれ折り曲げ部分または弧１１５、１２５を有する。この弧１１５、１２５は、２つの係止突起体部分１１３、１１４、１２３、１２４が、９０°以上の角度、この実施形態の場合約７５°の角度を挟み込むように形成される。
【００９８】
第２係止突起体部分１２３、１２４は、第１係止突起体部分の端部からそれぞれ反対側の領域１１１、１２１の方向に突き出ている。個々の係止突起体１１、１２２は櫛状に配置される。すなわち、それは、相互に間隔を開けて配置され、かつ均等に配列される。これにより、第１ケーブル保持具１、１’の同じ領域１１１、１２１から突き出るすべての係止突起体１１、１２は、それぞれ隣接して配置される係止突起体１１、１２に対してそれぞれ同じ距離を有する。係止突起体１１、１２は、それぞれ共通の直線１１６、１１７上に配置される領域１１１、１２１上の点から突き出ている。互いに反対側の係止突起体１１、１２は接触することなく相互に係合しており、これにより、係止突起体１１、１２の端部１１０、１２０、もしくは第２係止突起体部分１１４、１２４の端部１１０、１２０は、互いに接触することなく近接している。
【００９９】
各係止突起体１１、１２のそれぞれの端部１１０、１２０は、それぞれ反対側の領域１１１、１２１から突き出ている２つの係止突起体１１、１２の間に配置されるか、あるいは、反対側の領域１１、１２から突き出ている２つの係止突起体１１、１２の間の中間領域の中に突き出ている。係止突起体１１、１２もしくは第２係止突起体部分１１４、１２４の個々の端部１１０、１２０は、反対側の領域１１、１２の係止突起体１１、１２と接触しないように配置される。この実施形態においては、すべての係止突起体１１、１２は等しく形成されかつ配列され、相互に接触しない。
【０１００】
係止突起体１１、１２の配列は、管路領域１３が閉止形および／またはＵ字形の管路断面を有するように行われる。
【０１０１】
この実施形態においては、ケーブル保持具１は、それぞれ、４個の第１係止突起体１１と、４個の第２係止突起体１２とを含む。第２係止突起体部分１２３、１２４の端部は、共通の基体１００または末端部１０３が決定する平面に向かって傾斜している。
【０１０２】
装着を簡単にするために、基板の領域に２つの固定要素１０７が配置される。この固定要素１０７は、ケーブル保持装置５０の装置６０へのおよび／または装置６０との、および／またはそのフレーム６１との工具不要かつ取り外し自在の固定を可能にする。
【０１０３】
本発明のこの実施形態における係止突起体１１、１２は、弾性的に曲げることが可能であり、かつ弾力を有するように構成され、合成材料、すなわちポリエチレンから作製される。この場合、ポリエチレンのコンシステンシーは、係止素子が、個々の係止素子１１、１２の転回を可能にする曲げ強さおよび弾性を有するように選択され、係止素子１１、１２上への圧力によって、ケーブル２を管路領域１３の中に挿入し得るように選択される。曲げた後、係止素子１１、１２はその当初位置に戻る。代替方式として、ケーブル保持具１を、ポリエチレン、あるいは、弾性的に曲げることが可能であり、かつ弾力を有する他の合成材料から作製することも可能である。
【０１０４】
ケーブル２を挿入する際、係止突起体１１、１２は、ケーブル２の圧力によって基体１０または共通の基体１１の方向に曲げられ、ケーブル２を管路断面の中に嵌め込ませる。ケーブルが管路断面の中に入ると、係止素子１１は、その弾性によってその当初位置に戻る。すなわち、係止突起体１１、１２は、ケーブル保持具１の縦方向に垂直な一平面内において弾力によってまたは弾性的に転回可能である。
【０１０５】
図示の平坦な形態の係止突起体１１、１２は、領域１１１、１２１から突き出ており、管路領域１３を画定する。係止突起体１１、１２は、形状部品として曲げられた状態に形成され、その縦方向において、一定断面の平坦な形状を有する。係止突起体１１、１２の延長方向は、ケーブル保持具１の縦方向に垂直な一平面内に延びている。その平坦な形状は、ケーブル保持具１の縦方向に垂直な方向におけるよりも、ケーブル保持具１の縦方向において基本的に大きな広がりを有する。すでに述べたように、係止突起体１１、１２の平坦な形状のケーブル保持具１の縦方向における最大寸法の広がりと、それに垂直な方向における係止突起体１１、１２の形状の寸法との間の比として、４：１〜４：１．５、特に、４：１．３の値が望ましい。
【０１０６】
有利な一実施形態は次の形態において与えられる。すなわち、
１本または複数本のケーブル（２）を収納するためのケーブル保持具（１）であり、基体（１０）と、基体（１０）から突き出る複数個の係止突起体（１１、１２）であって基体（１０）の互いに反対側の領域（１１１、１２１）から突き出る係止突起体（１１、１２）とを包含するケーブル保持具（１）であって、係止突起体（１１、１２）と、場合によっては基体（１０）とが、ケーブル（２）を導線するための管路領域（１３）を閉囲し、画定し、および／または決定するケーブル保持具（１）において、その係止突起体（１１、１２）が、一方の領域（１１１、１２１）から突き出る少なくとも１つの係止突起体（１１、１２）の端部（１１０、１２０）が、それぞれ反対側の領域（１１１、１２１）から突き出る２つの係止突起体（１１、１２）の間に配置され、および／または、その間に突き出るように、好ましくは接触することなくおよび／または櫛状に係合する、ことを特徴とするケーブル保持具（１）である。
【０１０７】
特に有利な実施形態がさらに次の形態において与えられる。すなわち、
前記のケーブル保持具において、管路領域（１３）を画定する係止突起体（１１、１２）がＬ字形に形成され、その係止突起体（１１、１２）は、管路領域（１３）が閉止されたおよび／またはＵ字形の管路断面を有するように、ある距離だけ互いに反対側に離れていること、および／または、
管路領域（１３）の縦方向において、係止突起体（１１、１２）が、少なくとも１つの係止突起体（１１、１２）の端部（１１０、１２０）が、それぞれ反対側の２つの係止突起体（１１、１２）の間に配置され／突き出るように、好ましくは接触することなく、櫛状に係合するように配置されること、および／または、
係止突起体（１１、１２）が、ケーブル保持具（１）の基体（１０）に対してその係止突起体を転回でき、かつ、転回後にはその当初位置に戻るように、弾性的に曲げることができるように、かつ、弾力を有するように形成されること、
を特徴とするケーブル保持具である。
【０１０８】
特に有利な実施形態がさらに次の形態において与えられる。すなわち、
前記のケーブル保持具（１）において、係止突起体（１１、１２）が、曲線形状、特に折り曲げられたフックの形状に形成され、かつ、２つの係止突起体部分（１１３、１１４、１２３、１２４）を有し、それにより、第１係止突起体部分（１１３、１２３）は、それぞれの領域（１１１、１２１）から７０°〜９０°の角度、好ましくは８５°〜９０°の角度で、特に正確に垂直におよび／または法線状に突き出ており、さらに、第２係止突起体部分（１１４、１２４）は、それぞれの領域と反対側の第１係止突起体部分（１１３、１２３）の端部において第１係止突起体部分（１１３、１２３）に繋がって、第１係止突起体部分（１１３、１２３）に対してある角度、特に７０°〜１１０°の角度、好ましくは９０°の角度で、それぞれ反対側の領域（１１１、１２１）から突き出る係止突起体（１１、１２）の方向に突き出ていること、および／または、
２つの係止突起体部分（１１３、１１４、１２３、１２４）が、一体的に形成されること、特に、第１および第２係止突起体部分（１１３、１１４、１２３、１２４）の間に弧（１１５、１２５）を有する平坦体および／または形状ロッドから形成されること、
を特徴とするケーブル保持具（１）である。
【０１０９】
特に有利な実施形態がさらに次の形態において与えられる。すなわち、
前記のケーブル保持具（１）において、２つの係止突起体部分（１１３、１１４、１２３、１２４）が９０°以上の角度を挟み込むこと、および／または、
係止突起体（１１、１２）が突き出ている２つの領域（１１１、１２１）が、互いに平行に延びており、および／または、一平面内にあること、および／または、
２つの領域（１１１、１２１）から突き出る係止突起体（１１、１２）のそれぞれの個数が最大で１つしか違わないこと、および／または、
係止突起体（１１、１２）の端部または第２係止突起体部分（１２３、１２４）の端部が基体（１０）に向かって傾斜していること、
を特徴とするケーブル保持具（１）である。
【０１１０】
特に有利な実施形態がさらに次の形態において与えられる。すなわち、
前記のケーブル保持具（１）において、その端部がそれぞれ反対側の領域（１１１、１２１）から突き出る２つの係止突起体（１１、１２）の間に配置される各係止突起体（１１、１２）に対して、反対側の領域（１１１、１２１）から突き出る別の係止突起体（１５、１６）が設けられ、その別の係止突起体の端部（１５０、１６０）は、それぞれの係止突起体（１１、１２）の端部に近接しておりかつその反対側にあり、その場合、特に、上記別の係止突起体（１５、１６）および前記係止突起体（１１、１２）の端部（１１０、１２０、１５０、１６０）の前端面は互いに反対側にあること、
を特徴とするケーブル保持具（１）である。
【０１１１】
特に有利な実施形態がさらに次の形態において与えられる。すなわち、
前記のケーブル保持具（１）において、上記別の係止突起体（１５、１６）が、それぞれ、基体（１０）から、ある角度、特に７０°〜９０°の角度、好ましくは９０°の角度で突き出る第１係止突起体部分（１５１、１６１）を有し、かつ、その第１係止突起体部分（１５１、１５２）に繋がって、その第１係止突起体部分（１５１、１５２）から突き出る第２係止突起体部分（１５２、１６２）を有すること、
特に、上記別の係止突起体（１５、１６）の第１および／または第２係止突起体部分（１５１、１５２、１６１、１６２）の形態および／または配列が、前記係止突起体（１１、１２）の第１および／または第２係止突起体部分（１１３、１１４、１２３、１２４）の形態および配列に合致していること、および、
特に、上記別の係止突起体（１５、１６）の第１係止突起体部分（１５１、１６１）の長さが、前記係止突起体（１１、１２）の第１係止突起体部分（１１３、１２３）の長さに合致していること、
を特徴とするケーブル保持具（１）である。
【０１１２】
特に有利な実施形態がさらに次の形態において与えられる。すなわち、
前記のケーブル保持具（１）において、第１領域（１１１）および／または第２領域（１２１）から突き出る係止突起体（１１、１２）が等しく形成および／または配置されること、および／または、すべての別の係止突起体（１１、１２）が等しく形成されること、および／または、
第１領域（１１１）および／または第２領域（１２１）から突き出る上記別の係止突起体（１５、１６）が等しく形成および／または配列されること、および／または、すべての別の係止突起体（１５、１６）が等しく形成されること、
を特徴とするケーブル保持具（１）である。
【０１１３】
特に有利な実施形態がさらに次の形態において与えられる。すなわち、
前記のケーブル保持具（１）において、係止突起体（１１、１２）が２つの領域（１１１、１２１）から突き出ており、それにより、複数個の第１係止突起体（１１）が２領域の内の第１領域（１１１）から突き出ており、複数個の第２係止突起体（１２）が２領域の内の第２領域（１２１）から突き出ていること、および／または、
第１係止突起体（１１）が、第１直線（１１６）上にある第１領域（１１１）の部分領域から突き出ており、および／または、第２係止突起体（１２）が、第２直線（１２６）上にある第２領域（１２１）の部分領域から突き出ており、それにより、第１直線（１１６）および第２直線（１２６）は好ましくは互いに平行に配列されること、および／または、
複数個の上記別の係止突起体（１５、１６）が第１直線（１１６）上にある第２領域（１２１）の部分領域から突き出ており、残りの上記別の係止突起体（１６）が第２直線（１２６）上にある第２領域（１２１）の部分領域から突き出ていること、および／または、
各２つの係止突起体（１１、１２）ごとの間に、それぞれ１つの別の係止突起体（１５、１６）が配置されること、および／または、
係止突起体（１１、１２）の第２係止突起体部分（１１４、１２４）が、場合によっては上記別の係止突起体（１５、１６）の第２係止突起体部分（１５２、１６２）も、同じレベルにあること、および／または、
基体（１０）が係止突起体（１１、１２）と反対側の領域に少なくとも１つの凹部（１０５）を有すること、
を特徴とするケーブル保持具（１）である。
【０１１４】
特に有利な実施形態がさらに次の形態において与えられる。すなわち、
前記のケーブル保持具（１）において、基体（１０）が、少なくとも１つの、特に２つの、特に垂直におよび／または法線状にその基体（１０）から突き出る突起部（１７、１８）を有し、その突起部（１７、１８）から、個々の係止突起体（１１、１２）と、場合によっては上記別の係止突起体（１５／１６）とが突き出ていること、および／または、
管路領域（１３）の管路断面が、少なくとも管路領域（１３）の縦方向の延長部分に沿う部分領域において先細になっている、および／または拡大されていること、および／または、
係止突起体（１１、１２）が、弾性的に曲げることができるように、および／または、弾力を有するように形成されること、および／または、
ケーブル保持具（１）の縦方向における係止突起体（１１、１２）の幅の係止突起体（１１、１２）の厚さに対する比が、４：１〜４：１．５の間、特に４：１．３であること、
を特徴とするケーブル保持具（１）である。
【０１１５】
特に有利な実施形態がさらに次の形態において与えられる。すなわち、
前記のケーブル保持具（１）において、係止突起体（１１、１２）、場合によっては上記別の係止突起体（１５、１６）、および／または全ケーブル保持具（１）が、合成材料、特にポリエチレンＰＥおよび／またはポリプロピレンＰＰから作製される、ことを特徴とするケーブル保持具（１）である。
【０１１６】
特に有利な実施形態がさらに次の形態において与えられる。すなわち、
複数個の前記のケーブル保持具（１）を含むケーブル保持装置（５０）において、個々のケーブル保持具（１）が１つの共通の基体（１００）上に均等に配列して配置され、好ましくは、その場合、その基体（１００）が、ケーブル保持装置（５０）を装置に、特に装置（６０）のフレーム（６１）に固定するための固定手段（１０７）であって、特に工具なしに取り外し自在の固定手段（１０７）を有すること、および／または、共通基体（１００）が、係止突起体（１１、１２）と反対側の領域に少なくとも１つの凹部（１０５）を有すること、を特徴とするケーブル保持装置（５０）である。
【０１１７】
特に有利な実施形態がさらに次の形態において与えられる。すなわち、
特に２つのケーブル保持具（１）を含む前記のケーブル保持装置（５０）において、共通の基体（１００）がＷ字形の折り曲げられた形状（１０１）を形成し、
その場合、２つのケーブル保持具（１）の係止突起体（１１、１２）が、Ｗ字形の折り曲げられた形状（１０１）の中央の先端部（１０２）から突き出ており、かつ、さらに、各ケーブル保持具（１）の係止突起体（１１、１２）はＷ字形の折り曲げられた形状の末端部（１０３）から突き出ており、
場合によっては、先端部（１０２）および／または末端部（１０３）から突起部が突き出ており、その突起部から係止突起体（１１、１２）が突き出ており、および／または、場合によって、Ｗ字形の折り曲げられた形状（１０１）が、中央の先端部（１０２）の領域において、好ましくは両方の末端部（１０３、１０４）の領域においても直角を有する、
ことを特徴とするケーブル保持装置（５０）である。
【０１１８】
特に有利な実施形態がさらに次の形態において与えられる。すなわち、
前記のケーブル保持装置（５０）において、共通の基体（１００）が平坦におよび／または平板状に形成され、個々の係止突起体（１１、１２）が基体（１００）から同じ側に向かって突き出ていること、および／または、
個々のケーブル保持具（１）が、基体（１００）上に均等に配置され、かつ、場合によっては、互いに並べておよび／または互いに前後に配置されること、および／または、前記第１および第２の直線（１１６、１１７）が互いに平行に配置されること、
を特徴とするケーブル保持装置（５０）である。
【０１１９】
特に有利な実施形態がさらに次の形態において与えられる。すなわち、
前記のケーブル保持装置（５０）または複数個の前記のケーブル保持具（１）を備えた電子装置、特に、賭け事投票装置および／またはゲーム装置である。
【図１】
2014517670.tif 000003
【図２】
2014517670.tif 000004
【図３】
2014517670.tif 000005
【図４】
2014517670.tif 000006
【図５】
2014517670.tif 000007
【図６】
2014517670.tif 000008
【図７】
2014517670.tif 000009
【図８】
2014517670.tif 000010
【図９】
2014517670.tif 000011
【図１０】
2014517670.tif 000012
【図１１】
2014517670.tif 000013
【図１２】
2014517670.tif 000014
【図１３】
2014517670.tif 000015
【図１４】
2014517670.tif 000016
【図１５】
2014517670.tif 000017
【図１６】
2014517670.tif 000018
【図１７】
2014517670.tif 000019
【図１８】
2014517670.tif 000020
【国際調査報告】
2014517670.tif 000021
2014517670.tif 000022
2014517670.tif 000023
2014517670.tif 000024
2014517670.tif 000025